(57)【要約】  【課題】本発明の目的は、翼車の背面における孔加工のみにより翼車の軽量化及び翼車におけるバランス調整を実現することができる翼車の加工方法及び翼車の提供にある。  【解決手段】ブレード支持体１３に複数のブレード１１が備えられる翼車１０の加工方法であって、翼車１０のバランスを計測し、バランスの計測結果に基づき、翼車１０の背面に設定された複数の有底孔の孔形成位置Ｓに、有底孔１８の孔内空間の容積が異なる少なくとも２個の有底孔１８Ａ、１８Ｂを含むように、複数の有底孔１８の孔内空間を設定し、孔内空間が設定された有底孔１８を孔形成位置Ｓに夫々形成することにより、翼車１０のバランスを調整する。  【選択図】  図１
2008291657.tif 000002
【特許請求の範囲】
【請求項１】
ブレード支持体に複数のブレードが備えられる翼車の加工方法であって、
前記翼車のバランスを計測し、
前記バランスの計測結果に基づき、前記翼車の背面に設定された複数の有底孔の形成位置に、前記有底孔の孔内空間の容積が異なる少なくとも２個の有底孔を含むように、前記複数の有底孔の孔内空間を設定し、
前記孔内空間が設定された前記有底孔を前記孔形成位置に夫々形成することにより、前記翼車のバランスを調整することを特徴とする翼車の加工方法。
【請求項２】
複数の前記有底孔は、前記翼車の軸心を中心とする同一円周上に配列され、前記翼車の軸心方向と平行に穿孔されることを特徴とする請求項１記載の翼車の加工方法。
【請求項３】
前記有底孔は、前記ブレード支持体に接続されるブレードのブレード基部と軸心方向において非重畳の位置に形成されることを特徴とする請求項１又は２記載の翼車の加工方法。
【請求項４】
前記有底孔の個数と前記ブレードの個数は互いに一致することを特徴とする請求項１〜３のいずれか一項記載の翼車の加工方法。
【発明の詳細な説明】
【技術分野】
【０００１】
この発明は翼車の加工方法及び翼車に関し、特に、翼車の軽量化とバランスを図るための翼車の加工方法に関する。
【背景技術】
【０００２】
従来から内燃機関等で用いられる排気駆動型の過給機は、略円錐台状のブレード支持体に複数のブレードを備えた翼車を有している。
ターボ過給機の場合、タービン側の翼車をタービン翼車と呼び、コンプレッサー側の翼車については単にインペラと称することが多い。
この種の翼車では、翼車の回転時に生じる応力低減のために翼車の軽量化が望まれているほか、運転中の安定した翼車の回転を実現するため、翼車の良好なバランスを確保することが要請されている。
例えば、特許文献１に開示されたセラミックタービンローターでは、複数の翼（ブレードに相当）を有する筒状のディスク（ブレード支持体に相当）の内部を開口部のない中空部とし、ディスクの中空化により翼車の軽量化を実現している。
【０００３】
一方、特許文献２や特許文献３には、翼車の良好なバランスを確保する技術が開示されている。
特許文献２に記載された過給機のタービン翼の加工方法は、タービン翼のロータ軸との接合部に、予め円筒形のロータ軸側ボス部を設け、このボス部外周面を半径方向の加工基準にしてタービン翼の先端部を円筒形に加工し、次いで、先端部外周面を半径方向の加工基準にしてロータ軸側ボス部を加工する技術である。
この技術では、タービン翼において不可避的に発生していたアンバランス量を大幅に低減することができるとしている。
【０００４】
特許文献３に記載された樹脂製インペラのバランス修正方法は、ターボチャージャ用インペラのボス部にバランス部材挿入穴を設け、樹脂製インペラ材料よりも比重の大きいバランス部材をバランス部材挿入穴に挿入して樹脂製インペラのバランスを修正する技術である。
この技術では、バランス修正時の切削量を低減することが可能であり、ボス部の強度が確保された上で樹脂製インペラのバランス修正を行うことにより、アンバランスの低減を図ることができるとしている。
【特許文献１】特開平７−６３００１号公報（３−５頁、図１−３）
【特許文献２】特開２００４−５２６１６号公報（３−５頁、図１−３）
【特許文献１】特開平４−４１９３４号公報（４−６頁、図２）
【発明の開示】
【発明が解決しようとする課題】
【０００５】
しかしながら、特許文献１に開示された翼車は、軽量化は図られるものの翼車のバランス調整についての開示はなく、この技術では翼車のバランスを調整することができないという問題がある。
一方、特許文献２に開示された技術では、翼車のバランスを調整することができるものの、翼車背面側のロータ軸側ボス部及び翼車先端側の先端部を加工する必要があるほか、加工対象が変わる度に加工基準を切り替えなくてはならない煩雑さが存在する。
他方、特許文献３に開示された技術では、翼車に設けたバランス部材挿入穴に挿入するためのバランス部材を別に用意しなければならないという問題がある。
【０００６】
本発明は上記の問題点に鑑みてなされたもので、本発明の目的は、翼車の背面に複数の有底孔を形成することにより翼車の軽量化及び翼車におけるバランス調整を同時に実現することができる翼車の加工方法及び翼車の提供にある。
【課題を解決するための手段】
【０００７】
上記課題を達成するため、本発明は、ブレード支持体に複数のブレードが備えられる翼車の加工方法であって、前記翼車のバランスを計測し、前記バランスの計測結果に基づき、前記翼車の背面に設定された複数の有底孔の形成位置に、前記有底孔の孔内空間の容積が異なる少なくとも２個の有底孔を含むように、前記複数の有底孔の孔内空間を設定し、前記孔内空間が設定された前記有底孔を前記孔形成位置に夫々形成することにより、前記翼車のバランスを調整することを特徴とする。
【０００８】
本発明によれば、翼車のバランスを計測するが、バランスの計測後に形成すべき有底孔は、有底孔を形成する前の翼車におけるバランスの計測結果に基づき、翼車の背面に設定された複数の有底孔の孔形成位置に、有底孔の孔内空間の容積が異なる少なくとも２個の有底孔を含む。
バランスの計測結果に基づき孔内空間が設定された複数の有底孔を孔形成位置に夫々形成すると、翼車の軽量化が図られるともに、翼車の径方向における重心を翼車軸心に近づけるように翼車のバランスが調整される。
従って、翼車の背面における孔形成位置に有底孔を夫々形成することにより翼車の軽量化及びバランス調整を同時に実現することができる。
なお、翼車のバランスとは、径方向の重量バランスや回転時における抵抗のバランス等、翼車の円滑な回転に必要なバランス要素の一部又は全てをいう。
【０００９】
また、本発明では、上記の翼車の加工方法において、複数の前記有底孔は、前記翼車の軸心を中心とする同一円周上に配列され、前記翼車の軸心方向と平行に穿孔されてもよい。
【００１０】
この場合、複数の有底孔は翼車の軸心を中心とする同一円周上に配列され、翼車の軸心方向と平行に穿孔される。
従って、複数の有底孔を形成する際、翼車の軸心を中心として翼車を一方向へ回転させることにより、両有底孔の孔明け位置を設定し易くすることができる。
また、翼車の軸心方向と平行に穿孔することも複数の有底孔を形成する上で都合がよい。
【００１１】
さらに、本発明では、上記の翼車の加工方法において、前記有底孔は、前記ブレード支持体に接続されるブレードのブレード基部と軸心方向において非重畳の位置に形成されてもよい。
【００１２】
この場合、複数の有底孔がブレード支持体に接続されるブレードのブレード基部と軸心方向において非重畳の位置に形成されるから、ブレードの強度を低下させることがない。
【００１３】
また、本発明では、上記の翼車の加工方法において、前記有底孔の個数と前記ブレードの個数は互いに一致してもよい。
【００１４】
この場合、有底孔の個数とブレードの個数が一致させることにより、軸心方向において複数の有底孔とブレード基部を確実に非重畳の位置に形成することができる。
【発明の効果】
【００１５】
本発明によれば、翼車の背面に複数の有底孔を形成することにより翼車の軽量化及び翼車におけるバランス調整を同時に実現することができる翼車の加工方法及び翼車を提供することができる。
【発明を実施するための最良の形態】
【００１６】
〔第１の実施形態〕
以下、第１の実施形態に係る翼車と、この翼車の加工方法を図面に基づき説明する。
この実施形態の翼車は過給機のタービン翼車であり、過給機は自動車用ディーゼルエンジンに適用されるターボ過給機である。
【００１７】
図１は、第１の実施形態に係るタービン翼車を破断して示す側面図であり、図２は第１の実施形態に係るタービン翼車の背面図であり、図３はタービン翼車の加工の手順を示す説明図であり、図４はタービン翼車における径方向の重心の移動を示す背面図である。
【００１８】
図１に示す翼車としてのタービン翼車１０は、多数のブレード１１が備えられた略円錐台形状のブレード支持体１３を有する。
ブレード支持体１３は正面側（図１において右側）から背面側（図１において左側）へ向けて拡径する側面１４を有し、各ブレード１１はブレード支持体１３の側面１４に設けられている。
【００１９】
ブレード１１とブレード支持体１３は金属材料の鋳造により一体的に形成されている。
ブレード１１はタービン翼車１０の半径方向からの流体を軸線Ｐ方向へ変更可能な形状を有する公知のブレードである。
【００２０】
ブレード１１のブレード基部１２は、ブレード支持体１３と接続される部位であるが、図２に示すように、タービン翼車１０の軸心Ｐ側から外周側へ向かう配置となっている。
この実施形態のタービン翼車１０では９枚のブレード１１が備えられ、これらのブレード基部１２はブレード支持体１３において互いに等しい角度を保つ放射状の配置となっている。
【００２１】
ブレード支持体１３の正面１５及び背面１６は、図１に示すように、タービン翼車１０の軸心Ｐ方向と直角な面に形成されている。
ブレード支持体１３の背面中央には軸体１７が接続されており、軸体１７の軸心とブレード支持体１３の軸心は一致する。
軸体１７は図示しない軸受を介して回転自在に過給機本体（図示せず）に支持される部材である。
【００２２】
ブレード支持体１３の背面１６において、軸心Ｐを中心とする同一円周上には複数の有底孔１８が配設されている（図２において同一円を仮想線Ｑにて図示）。
各有底孔１８が形成される位置は、孔形成位置として有底孔１８が形成される前のタービン翼車１０の背面において予め設定されている。
この実施形態における有底孔１８は、図２に示すように、軸心Ｐの伸びる方向においてブレード基部１２と非重畳の位置に形成されている。
有底孔１８が軸心Ｐの伸びる方向においてブレード基部１２と重畳する位置に存在すると、ブレード１１の強度低下を招くおそれがあり、この強度低下を回避するために、軸心Ｐの伸びる方向におけるブレード基部１２と有底孔１８が部分的にも重畳しないように、有底孔１８とブレード基部１２の配置が考慮されている。
【００２３】
また、この実施形態では、有底孔１８の両側のブレード基部１２からの距離が等しくなっているほか、隣り合う有底孔１８は互いに等距離を保っている。
有底孔１８の数はブレード１１の数に応じたものとなっており、この実施形態では、ブレード１１が９枚であることから、ブレード１１間に位置する有底孔１８は全部で９個である。
【００２４】
ところで、この実施形態の有底孔１８は、第１有底孔１８Ａと第２有底孔１８Ｂに区分される。
第１有底孔１８Ａ及び第２有底孔１８Ｂは、主にタービン翼車１０の軽量化のために形成される有底孔である。
第１有底孔１８Ａ及び第２有底孔１８Ｂの孔内空間の容積は、タービン翼車１０の軽量化に応じて設定されており、孔内空間は第１有底孔１８Ａ及び第２有底孔１８Ｂの深さと横断面積により決定される。
この実施形態の第２有底孔１８Ｂは、第１有底孔１８Ａより孔内空間が大きく設定される有底孔であり、この実施形態の第２有底孔１８Ｂの横断面積は、第１有底孔１８Ａと同じ横断面積を有するが、深さは、図１に示すように、第１有底孔１８Ａよりも大きい。
つまり、両有底孔１８Ａ、１８Ｂの孔内空間の容積差は、各有底孔１８Ａ、１８Ｂの深さにより規定される。
第１有底孔１８Ａ及び第２有底孔１８Ｂの孔内空間は、両有底孔１８Ａ、１８Ｂを形成する前のタービン翼車１０におけるバランスの計測結果に基づいて設定される。
タービン翼車１０のバランスとは、例えば、径方向の重量バランスや回転時における抵抗のバランス等、タービン翼車１０の円滑な回転に必要なバランス要素の一部又は全てをいう。
なお、第２有底孔１８Ｂとは、第１有底孔１８Ａより深くなっている部分だけ指しているのではなく、有底孔全体を指している。
【００２５】
第２有底孔１８Ｂと第１有底孔１８Ａの深さの差は、タービン翼車１０のバランスにより異なる。
複数の第２有底孔１８Ｂが生じる場合、同じ第２有底孔１８Ｂとの間でも深さが異なってもよい。
この実施形態では、図４（ｂ）に示すように、３個の第２有底孔１８Ｂ（説明の便宜上、第２有底孔１８Ｂ１〜１８Ｂ３と表記する。）が形成されているが、第２有底孔１８Ｂ１、１８Ｂ３よりも第２有底孔１８Ｂ２の方が深くなっている。
第２有底孔１８Ｂは、タービン翼車１０におけるバランスの計測結果に基づいて設定される有底孔であるから、タービン翼車１０の軽量化に寄与する。
図４（ｂ）に示す第２有底孔１８Ｂの「塗りつぶし」は、孔の深さを示したものであり、「塗りつぶし」が濃いほど孔が深いことを表している。
【００２６】
次に、この実施形態のタービン翼車１０の加工方法について説明する。
鋳造により形成されたタービン翼車１０には軸体１７が連結された状態にある。
まず、タービン翼車１０の背面に複数の有底孔１８の孔形成位置Ｓを夫々設定する。
この実施形態では、９個の有底孔１８を形成することから、図４（ａ）に示すように、９個の孔形成位置Ｓ１〜Ｓ９が設定される。
次に、タービン翼車１０のバランスを計測して重心Ｇの位置を把握する。
具体的には、図３（ａ）に示すように、タービン翼車１０を回転させて、バランスを計測して重心Ｇの位置を把握する。
重心Ｇの位置が軸心Ｐと一致するとき、タービン翼車１０におけるバランスについて偏りがないことになる。
逆に、重心Ｇの位置が軸心Ｐと一致しないとき、バランスの偏りが存在することになる。
【００２７】
タービン翼車１０のバランスを計測した後、タービン翼車１０においてバランスの偏りが存在するとき、図３（ｂ）に示すように、孔内空間の容積が互いに異なる第１有底孔１８Ａと第２有底孔１８Ｂを含むように、複数の第１有底孔１８Ａ及び第２有底孔１８Ｂの孔内空間が設定される。
タービン翼車１０においてバランスの偏りが存在する場合、軸心Ｐと一致しない重心Ｇに近い位置に存在する少なくとも一つの孔形成位置Ｓ（図４（ａ）においてＳ４〜Ｓ６）を選択し、この孔形成位置Ｓ（Ｓ４〜Ｓ６）には第１有底孔１８Ａよりも深さを深くする第２有底孔１８Ｂを設ける設定を行う。
【００２８】
図４（ａ）に示すタービン翼車１０では、偏った重心Ｇに比較的近い３個の孔形成位置Ｓ４〜Ｓ６に第２有底孔１８Ｂを形成する設定とする。
重心Ｇに一番近い孔形成位置Ｓ５については、最も深い孔内空間を有する第２有底孔１８Ｂ（説明の便宜上、第２有底孔１８Ｂ２と表記する。）が形成されるように設定する。
このこの重心Ｇに一番近い孔形成位置Ｓ５の両側に存在する別の孔形成位置Ｓ４、Ｓ６については、最も深い孔内空間を有する第２有底孔１８Ｂ２の深さよりも浅く、かつ、第１有底孔１８Ａよりも深い孔内空間を有する第２有底孔１８Ｂ（説明の便宜上、第２有底孔１８Ｂ１、１８Ｂ３と表記する。）が形成されるように設定する。
【００２９】
次に、タービン翼車１０の背面における孔形成位置Ｓ１〜Ｓ９に、孔内空間が設定された有底孔１８を形成する。
この実施形態では、図３（ｃ）に示すように、ドリル工具Ｔを用いて第１有底孔１８Ａ及び第２有底孔１８Ｂを順次穿孔する。
第１有底孔１８Ａ及び第２有底孔１８Ｂの深さは、バランスの計測結果に基づき、意図するタービン翼車１０の軽量化と強度維持を考慮して予め設定されており、ドリル工具Ｔの進退量により規定される。
なお、第１有底孔１８Ａ及び第２有底孔１８Ｂを順次穿孔する際、ドリル工具Ｔの回転軸心を固定させておき、タービン翼車１０を軸心Ｐ周りに所定角度分だけ回転させると、ドリル工具Ｔに次の穿孔位置を臨ませることができる。
必要とする第１有底孔１８Ａ及び第２有底孔１８Ｂが全て穿孔された時点で、意図するタービン翼車１０の軽量化はほぼ実現されている。
【００３０】
図４（ｂ）は、第１有底孔１８Ａ及び第２有底孔１８Ｂ（１８Ｂ１〜１８Ｂ３）が形成されたタービン翼車１０を示しており、タービン翼車１０の軸心Ｐと径方向の重心Ｇが一致した状態にある。
つまり、図４（ｂ）に示すタービン翼車１０では、第１有底孔１８Ａ及び第２有底孔１８Ｂの形成により、第１有底孔１８Ａと第２有底孔１８Ｂの孔内空間の容積差がバランスを調整し、タービン翼車１０の軸心Ｐと径方向の重心Ｇが一致する状態にある。
孔内空間が設定された有底孔１８Ａ、１８Ｂを孔形成位置Ｓに夫々形成したことにより、タービン翼車１０の軽量化とともにバランスが調整されている。
【００３１】
図４（ａ）及び図４（ｂ）に示したタービン翼車１０は、バランスの具体的な調整を示す例であり、タービン翼車１０におけるバランスの偏りに応じて、第１有底孔１８Ａ及び第２有底孔１８Ｂの設定は製作されるタービン翼車１０毎に異なる。
【００３２】
この実施形態では、以下の作用効果を奏する。
（１）第１有底孔１８Ａ及び第２有底孔１８Ｂをタービン翼車１０の背面１６に形成することによりタービン翼車１０の軽量化が図られる。第２有底孔１８Ｂは第１有底孔１８Ａの孔内空間よりも拡大された孔内空間を有するから、両有底孔１８Ａ、１８Ｂの孔内空間の容積差が存在する。タービン翼車１０のバランスに応じて第１有底孔１８Ａと第２有底孔１８Ｂを配置することにより、タービン翼車１０の径方向における重心Ｇを軸心Ｐに近づけるようにタービン翼車１０のバランスが調整される。従って、タービン翼車１０の背面１６における有底孔の形成によりタービン翼車１０の軽量化及びバランス調整を同時に実現することができる。
【００３３】
（２）タービン翼車１０の軽量化が図られる前に、タービン翼車１０のバランスの計測結果に基づいて有底孔１８が設定されるから、軽量化とバランス調整を一つの孔形成工程にまとめることができ、例えば、単一の孔形成装置を用いるだけで済むなど、翼車製造の時間短縮化に寄与する。
【００３４】
（３）第１有底孔１８Ａ及び第２有底孔１８Ｂは、タービン翼車１０の軸心Ｐを中心とする同一円周上に配列され、タービン翼車１０の軸心Ｐ方向と平行に穿孔される。従って、第１有底孔１８Ａ及び第２有底孔１８Ｂを加工する際、タービン翼車１０の軸心Ｐを中心としてタービン翼車１０を一方向へ回転させることにより、孔明け位置を設定し易くすることができる。また、タービン翼車１０の軸心Ｐ方向と平行に穿孔することも第１有底孔１８Ａ及び第２有底孔１８Ｂを形成する上で都合がよい。
（４）タービン翼車１０のバランスを計測し、タービン翼車１０の背面側に有底孔１８を形成するだけでタービン翼車１０の軽量化及びバランス調整が図られているので製作が容易で安価なタービン翼車１０を得ることができる。
【００３５】
（５）第１有底孔１８Ａ及び第２有底孔１８Ｂが、ブレード支持体１３に接続されるブレード１１のブレード基部１２と軸心Ｐ方向において非重畳の位置である孔形成位置に形成されるから、ブレード１１の強度を低下させることがない。第１有底孔１８Ａと第２有底孔１８Ｂが形成されてもブレード１１の強度を維持することができる。
（６）有底孔１８の個数とブレード１１の個数が一致するから、軸心Ｐ方向において複数の有底孔１８とブレード基部１２を確実に非重畳の位置に形成することができる。
【００３６】
（７）通常通底孔１８Ａ及び第２有底孔１８Ｂの孔内空間の容積差は、孔内空間の深さの差に基づくが、両有底孔１８Ａ、１８Ｂの深さの差をつけるための加工はドリル加工等により比較的容易である。
【００３７】
（８）第１有底孔１８Ａと第２有底孔１８Ｂは、両有底孔１８Ａ、１８Ｂの径が一致していることから互いに等しい横断面積を有する。このため、第２有底孔１８Ｂと第１有底孔１８Ａの形成では共通のドリル工具Ｔを使用することができ、両有底孔１８Ａ、１８Ｂの形成においてドリル工具Ｔの交換が不要であり、タービン翼車１０に対する加工効率を向上させることができる。
【００３８】
〔第２の実施形態〕
次に、第２の実施形態について説明する。
図５（ａ）は第１有底孔を示す拡大背面図であり、図５（ｂ）は第２の実施形態に係る第２有底孔を示す拡大背面図である。
この実施形態に係るタービン翼車の基本形態は、第１の実施形態とほぼ同一であるから、共通点は第１の実施形態の説明を援用し、相違する点についてのみ説明する。
また、説明の便宜上、相違する点を除き第１の実施形態で使用した符号を共通して用いる。
タービン翼車４０の背面には有底孔４１の孔形成位置Ｓが設定されている（図５（ａ）において孔形成位置Ｓは２箇所のみ示している）。
タービン翼車４０のバランスが計測された後、このバランスの計測結果に基づき、有底孔４１の孔内空間の容積が異なる少なくとも２個の有底孔４１Ａ、４１Ｂを含むように、複数の有底孔４１Ａ、４１Ｂの孔内空間が設定される。
そして、図５（ｂ）に示すように、孔内空間が設定された有底孔４１Ａ、４１Ｂを孔形成位置Ｓに夫々形成する。
【００３９】
図５（ｂ）に示すタービン翼車４０における第２有底孔４１Ｂは、第１有底孔４１Ａの横断面積より大きな横断面積を有する。
第１有底孔４１Ａは第１の実施形態の第１有底孔１８Ａと同一であり、その横断面は円形である。
一方、第２有底孔４１Ｂの横断面は長円形となっている。
この実施形態のタービン翼車４０では、周方向に長円の短径ｄ１が、半径方向に長径ｄ２が位置する長円形の第２有底孔４１Ｂが形成される。
【００４０】
第２有底孔４１Ｂは、第１有底孔４１Ａを穿孔する際に用いたエンドミル工具を用いて形成する。
この実施形態に係る長円形の第２有底孔４１Ｂは、エンドミル工具を第１有底孔４１Ａに挿入してエンドミル工具の軸線を変位することにより形成される。
エンドミル工具の軸線の変位により第１有底孔４１Ａの壁面が切削され、孔の横断面積が拡張される。
横断面積の拡張に伴う加工によって第１有底孔４１Ａの孔内空間が拡大され、第２有底孔４１Ｂが形成される。
つまり、両有底孔４１Ａ、４１Ｂの孔内空間の容積差は、両有底孔４１Ａ、４１Ｂの横断面積の差に基づいて設定されていると言える。
【００４１】
なお、図５（ｂ）では第１有底孔４１Ａおよび第２有底孔４１Ｂのみについて説明したが、タービン翼車４０におけるバランスの調整内容に応じて、孔内空間の容積が異なる複数の第２有底孔４１Ｂを設けてもよいことは言うまでもない。
【００４２】
この実施形態では、第１の実施形態の作用効果（１）〜（６）と同等の作用効果を奏する。
さらに言うと、加工するための工具を変更することなく第１有底孔の横断面積を拡大し、第１有底孔４１Ａと第２有底孔４１Ｂの孔内空間の容積差を設けることができる。
【００４３】
なお、上記の第１、第２の実施形態は、本発明の一実施形態を夫々示すものであり、本発明は、上記した実施形態に限定されるものではなく、下記のように発明の趣旨の範囲内で種々の変更が可能である。
【００４４】
○  第１、第２の実施形態では、複数の有底孔を形成してタービン翼車におけるバランスを調整するようにしたが、有底孔はバランスを考慮すると少なくとも２個以上形成する必要があり、また３個以上形成することが好ましい。また、複数の有底孔のうちバランスの調整に必要な第２有底孔は少なくとも１以上存在すればよい。
○  第１、第２の実施形態では、第１有底孔を円形とし、第２有底孔は円形又は長円形としたが、通常有形孔及び第２有底孔の横断形状は特に限定されず、方形状や楕円形など加工可能な形状であればとくに限定されない。
○  第１〜第４の実施形態では、いずれもタービン翼車及びタービン翼車の加工方法について説明したが、過給機や遠心圧縮機におけるインペラ、外燃機関のタービンに本発明を適用することもできる。
○  本発明はディーゼルエンジンに適用されるターボ過給機のタービン翼車に限定されず、例えば、ガソリンエンジンに適用されるターボ過給機のタービン翼車に適用してもよい。
○  第１の実施形態では、重心が偏っている位置に近い有底孔の深さを深くすることでバランス調製を行っていたが、それとは逆に、重心が偏っている位置よりも遠い位置にある有底孔の深さを浅くすることによりバランス調製を行ってもよい。
【図面の簡単な説明】
【００４５】
【図１】第１の実施形態に係るタービン翼車を破断して示す側面図である。
【図２】第１の実施形態に係るタービン翼車の背面図である。
【図３】第１の実施形態に係るタービン翼車の加工方法を説明する説明図である。
【図４】第１の実施形態に係るタービン翼車における径方向の重心を示す背面図であり、（ａ）はバランス調整前のタービン翼車の背面図であり、（ｂ）はバランス調整後のタービン翼車の背面図である。
【図５】第２の実施形態に係るタービン翼車を示し、（ａ）は第１有底孔を示す拡大背面図であり、（ｂ）は第２有底孔を示す拡大背面図である。
【符号の説明】
【００４６】
１０、２０、３０、４０  タービン翼車
１１  ブレード
１２  ブレード基部
１３  ブレード支持体
１４  側面
１５  背面
１８Ａ、４１Ａ  第１有底孔
１８Ｂ、４１Ｂ  第２有底孔
Ｐ  軸心
Ｔ  ドリル工具
Ｇ、ｇ  重心
【図１】
2008291657.tif 000003
【図２】
2008291657.tif 000004
【図３】
2008291657.tif 000005
【図４】
2008291657.tif 000006
【図５】
2008291657.tif 000007